(57)【要約】【課題】  またユーザがビデオレコーダを操作してコンテンツを消去しなくても、予めユーザがコンテンツに任意の消去時間を設定可能とする。【解決手段】主記憶メモリ１３０は、本発明の実施例の動作を実現するためのプログラムを記憶している。 ＯＳプログラム１３１、メインプログラム１３２、録画予約プログラム１３３、録画プログラム１３４、再生プログラム１３５、情報表示プログラム１３６、消去時間設定プログラム１３７などを記憶している。情報表示プログラム１３６は、出力デバイス１５０へ消去時間設定プログラムにて設定された消去時間を基に消去されるまでの残り時間を一覧表示するプログラムである。【選択図】  図１
2005191613.tif 000002
【特許請求の範囲】
【請求項１】
属性情報として、コピー禁止／１世代コピー可／／コピー可のいずれかの情報が付加されているデジタルコンテンツを記録再生可能なデジタルビデオデコーダにおいて、
前記１世代コピー可、またはコピー可の情報が付加されたデジタルコンテンツそれぞれについて、任意の消去時間を設定する消去時間設定手段と、
この消去時間設定手段により設定された時間に達したときに、前記デジタルコンテンツを消去する消去手段とを具備したことを特徴とするデジタルビデオデコーダ。
【請求項２】
前記デジタルコンテンツが消去されるまでの残り時間を前記属性情報と共に一覧表示する表示手段を具備したことを特徴とする請求項１記載のデジタルビデオデコーダ。
【請求項３】
前記表示手段は、前記消去されるまでの残り時間をグラフィック表示、あるいは表示色の種類によって表示することを特徴とする請求項２記載のデジタルビデオレコーダ。
【請求項４】
コピー禁止の属性が不可されたデジタルコンテンツには予め消去時間が前記属性情報に含まれており、前記表示手段は、前記コピー禁止／１世代コピー可／／コピー可のデジタルコンテンツそれぞれの残り時間を一覧表示することを特徴とする請求項３記載のデジタルビデオレコーダ。
【発明の詳細な説明】
【技術分野】
【０００１】
本発明はデジタル符号化された映像コンテンツを記録するデジタルビデオレコーダに関し、特にこのデジタルビデオレコーダに記録される映像コンテンツの管理方法に関する。
【背景技術】
【０００２】
近年、ＢＳ／ＣＳデジタル放送の開始や、ＨＤＤ（ハードディスクドライブ）、記録用ＤＶＤ、Ｄ−ＶＨＳなどのデジタル記録メディアの普及と低価格化に伴い、一般家庭向けのＡＶ機器はアナログからデジタルへとデジタル化が進みつつある。デジタル化は地上波デジタル放送の開始により更に進むものと考えられる。
【０００３】
特に普及の進んでいるＡＶ機器としては、１００Ｇバイト以上の記憶容量を持つＨＤＤビデオレコーダや、数Ｇバイトの記憶容量を持つＤＶＤビデオレコーダ、両方の機能を兼ね備えたＤＶＤ/ＨＤＤビデオレコーダがある。 ＨＤＤビデオレコーダであれば映画１本分に相当するコンテンツをＨＤＤへ何十本も記録でき、ＤＶＤビデオレコーダであれば映画１本分に相当するコンテンツを記録用ＤＶＤメディアに記録することができる。
【０００４】
ＨＤＤは消耗品でありその容量は有限であるため、ＨＤＤへ記録するタイプのビデオレコーダでは、永久的に保存しておきたいようなコンテンツであれば、そのコンテンツをＨＤＤ上から別の記録用ＤＶＤメディアへ移したり、視聴する必要の無くなったようなコンテンツであれば、ＨＤＤ上から消去たりする必要がある。
【０００５】
一般家庭向けのＡＶ機器のデジタル化により今まで以上に重要になってくるのが、ＤＴＣＰ規格に代表される著作権保護技術である。ＤＴＣＰ規格とはデジタルコンテンツをデジタル伝送する機器に義務付けられている著作権保護技術である。ＤＴＣＰ規格では、機器同士が認証・鍵交換を行った後、コンテンツを暗号化して伝送することによって、不正な機器からコンテンツが読み取られることを防いでいる。
【０００６】
著作権保護のためにコンテンツにはＣＣＩ(Ｃｏｐｙ Ｃｏｎｔｒｏｌ Ｉｎｆｏｒｍａｔｉｏｎ)という情報が付加された上で伝送されたり記録されたりする。 ＣＣＩの種別には、Ｃｏｐｙ−ｎｅｖｅｒ/ Ｃｏｐｙ−ｏｎｃｅ/ Ｎｏ−ｍｏｒｅ−ｃｏｐｙ/ Ｃｏｐｙ−ｆｒｅｅといった種類があり、コピーを禁止／１世代コピー可／１世代コピー済み／コピー可を意味している。ＣＣＩがＣｏｐｙ−ｎｅｖｅｒ以外のコンテンツについては、１世代または無制限のコピーが許されているので、機器内にコンテンツのコピーを保持し続けることが許されている。そしてＣＣＩがＣｏｐｙ−ｎｅｖｅｒのコンテンツについては、コピーは禁止されているが一時的に蓄積することは許されている。ただ一時的な蓄積時間の種類として、９０分〜無制限までの間で複数の種類が定義されている。 ＣＣＩがＣｏｐｙ−ｎｅｖｅｒでコピー禁止のコンテンツであっても、最低９０分間はコンテンツを蓄積しその間何度でも視聴できるようになっている。
【特許文献１】特開２００２−２０２９１７号公報  （図１）
【発明の開示】
【発明が解決しようとする課題】
【０００７】
しかし、上述のように、ＣＣＩがＣｏｐｙ−ｎｅｖｅｒのコンテンツについては、機器内に一時的に蓄積することが許されているので、ユーザがコンテンツの残りの蓄積時間を正確に把握できれば、ユーザはその時間を有効に使ってコンテンツの視聴を楽しむことができるが、従来では、ユーザが残りの蓄積時間を容易に知ることが難しかったのでこの蓄積時間を有効に使ってコンテンツを視聴することができなかった。
【０００８】
また、ＨＤＤへ記録するタイプのビデオレコーダでは、ＨＤＤの記憶容量を確保しておくために、視聴する必要の無くなったようなコンテンツがあれば、それをユーザがビデオレコーダを操作して消去し、ＨＤＤの記憶容量を増やす必要があった。
【０００９】
そこで、本発明は上述した課題を解決するため、ユーザが残りの蓄積時間を有効に使ってコンテンツを視聴できるように、ユーザへ残りの蓄積時間を通知可能し、またユーザがビデオレコーダを操作してコンテンツを消去しなくても、予めユーザがコンテンツに任意の消去時間を設定可能で、且つその消去時間に達したときにコンテンツを自動的に消去可能なデジタルビデオレコーダを提供することを目的とするものである。 
【課題を解決するための手段】
【００１０】
上記した課題を解決し目的を達成するために、属性情報として、コピー禁止／１世代コピー可／／コピー可のいずれかの情報が付加されているデジタルコンテンツを記録再生可能なデジタルビデオデコーダにおいて、前記１世代コピー可、またはコピー可の情報が付加されたデジタルコンテンツそれぞれについて、任意の消去時間を設定する消去時間設定手段と、この消去時間設定手段により設定された時間に達したときに、前記デジタルコンテンツを消去する消去手段とを具備したものである。
【００１１】
また本発明は上述した課題を解決するため、前記デジタルコンテンツが消去されるまでの残り時間を前記属性情報と共に一覧表示する表示手段を具備したものである。
【００１２】
また本発明は上述した課題を解決するため、前記表示手段は、前記消去されるまでの残り時間をグラフィック表示、あるいは表示色の種類によって表示するものである
また本発明は上述した課題を解決するため、コピー禁止の属性が不可されたデジタルコンテンツには予め消去時間が前記属性情報に含まれており、前記表示手段は、前記コピー禁止／１世代コピー可／／コピー可のデジタルコンテンツそれぞれの残り時間を一覧表示することを特徴とするものである。
【発明の効果】
【００１３】
本発明によれば、ユーザが残りの蓄積時間を有効に使ってコンテンツを視聴できるように、ユーザへ残りの蓄積時間を通知可能し、またユーザがビデオレコーダを操作してコンテンツを消去しなくても、予めユーザがコンテンツに任意の消去時間を設定可能で、且つその消去時間に達したときにコンテンツを自動的に消去することができる。
【発明を実施するための最良の形態】
【００１４】
以下、図面を参照して本発明によるデジタルビデオレコーダの実施の形態を説明する。
【００１５】
図１は本発明実施例のシステム構成を示す図ある。１１０はＣＰＵ、１２０はデータバス、１３０は主記憶メモリ、１４０は外部記憶装置、１５０は出力デバイス、１６０は入力デバイス、１７０は時計デバイス、１８０はＩＥＥＥ１３９４Ｉ／Ｆコントローラを示す。
【００１６】
ＣＰＵ１１０は、主記憶メモリ１３０に記録されているプログラムを読み出し実行することにより各部を制御する。データバス１２０は、ＣＰＵ１１０が主記憶メモリ１３０やその他のデバイスをアクセスするために用いられる。主記憶メモリ１３０は、本発明の実施例の動作を実現するためのプログラムを記憶している。 ＯＳプログラム１３１、メインプログラム１３２、録画予約プログラム１３３、録画プログラム１３４、再生プログラム１３５、情報表示プログラム１３６、消去時間設定プログラム１３７などを記憶している。
【００１７】
ＯＳプログラム０１３１は、メモリ管理、タスク制御、割り込み制御など、他のプログラムの処理を助ける基本的なプログラムである。メインプログラム０１３２は、本実施例の装置のメインの処理を行う。 メインプログラムの処理動作については、図９のフローチャートの説明の中で述べる。
【００１８】
録画予約プログラム１３３は、録画予約時間を設定するためのプログラムである。 録画予約プログラムはメインプログラム１３２から呼び出される。録画プログラム１３４は、コンテンツを外部記録装置１４０に録画するためのプログラムである。 録画プログラムはメインプログラム１３２から呼び出される。再生プログラム１３５は、外部記録装置１４０中のコンテンツを再生するためのプログラムである。 再生プログラムはメインプログラム１３２から呼び出される。
【００１９】
情報表示プログラム１３６は、出力デバイス１５０へ図２に示すようなコンテンツ表示画面を出力するためのプログラムである。 外部記録装置１４０中の管理ファイル１４３を元に、外部記録装置内に録画されているコンテンツの情報を表示する。 情報表示プログラムの処理動作については、図１０のフローチャートの説明の中で述べる。
【００２０】
消去時間設定プログラム１３７は、録画されているコンテンツに消去時間を設定するためのプログラムである。 消去時間設定プログラムの処理内容については図１１のフローチャートの説明の中で述べる。
【００２１】
外部記憶装置１４０は、録画されたコンテンツファイルと、その管理情報を記録する管理ファイル１４３を記憶している。 実施例を説明するために、図１では２つのコンテンツが外部装置中１４０に録画されているケースを示している。以降、１つ目のコンテンツをコンテンツＡ１４１、２つ目のコンテンツをコンテンツＢ１４２と称す。
【００２２】
出力デバイス１５０は、テレビ或いはディスプレイ装置などの装置であり、本実施例の装置を操作するために必要な情報を、ユーザへ見せるための装置である。入力デバイス１６０は、キーボードやマウスなどの入力装置であり、本実施例の装置をユーザが操作するための装置である。時計デバイス１７０は、現在の時間情報を取得するための装置である。
【００２３】
ＩＥＥＥ１３９４Ｉ／Ｆコントローラ１８０は、外部の装置と接続しコンテンツを受信するための装置である。 本実施例では、外部のデジタル放送チューナが受信したコンテンツを、ＩＥＥＥ１３９４Ｉ／Ｆコントローラ１８０経由で受信して録画するものとする。
【００２４】
図２はコンテンツ表示画面を示す図である。本表示画面は、情報表示プログラム１３６によって処理され、出力デバイス１５０上に表示されるものとする。
【００２５】
現在時刻表示２１０は、現在時刻を示している。コンテンツ表示２２０は、枠内には外部記憶装置に１４０に録画されているコンテンツの情報を表示している。 １つ目のコンテンツ表示２２１は、コンテンツＡ１４１に対応するコンテンツ情報を表示している。 ２つ目のコンテンツ表示２２２は、コンテンツＢ１４２に対応するコンテンツ情報を表示している。 消去時間設定ボタン２３０は、消去時間設定操作を開始したり終了したりするときに使用するボタンである。 録画予約ボタン２４０は、録画予約操作を開始したり終了したりするときに使用するボタンである。 再生ボタン２５０は、再生を開始したり終了したりするときに使用するボタンである。各々のボタンは、ユーザが入力デバイス１６０を使って操作することができる。
【００２６】
実施の形態の説明のため、図２は９月３日２１:３０分時点でのコンテンツ表示画面を示している。コンテンツ表示２２１中の、最初の”コンテンツＡ”はコンテンツＡ１４１を示している。 次の”０３/０９/０１ ２０:００-２１:００”はコンテンツＡが録画された時間を示している。 ”０３/０９/０８/２１:００”はコンテンツＡが消去される時間を示している。 ”０４ ２３:３０”は消去されるまでの残り時間が ４日と２３時間３０分であることを示している。 “◎”はコンテンツＡが消去されるまでの残り時間が十分あることを示している。 “ＣＮ”はコピー禁止のＣｏｐｙ−ｎｅｖｅｒコンテンツであることを示している。
【００２７】
コンテンツ表示０２２２中の、最初の”コンテンツＡ”はコンテンツＢ１４２を示している。次の”０３/０９/０３ ０８:００-０８:３０”はコンテンツＢが録画された時間を示している。 その次の”--/--/--/--:--  -- --:--  --”はコンテンツＢが消去されないコンテンツであることを示している。”ＣＦ”はコピー可能なＣｏｐｙ−ｆｒｅｅコンテンツであることを示している。
【００２８】
図３は図２と同じくコンテンツ表示画面を示す図である。 実施の形態説明のため、図３は９月５日２２:０５分時点でのコンテンツ表示画面を示している。コンテンツ表示３２１中の”０２ ２２:５５”は、コンテンツＡが消去されるまでの残り時間が ２日と２２時間５５分であることを示している。 “○”はコンテンツＡが消去されるまでの残り時間が十分では無くなったことを示している。
【００２９】
図４は図２と同じくコンテンツ表示画面を示す図である。 説明のため、図４は９月８日０９:００分時点でのコンテンツ表示画面を示している。
【００３０】
コンテンツ表示４２１中の”００ １２:００”は、コンテンツＡが消去されるまでの残り時間が ０日と１２時間００分であることを示している。 “△”はコンテンツＡが消去されるまでの残り時間が残り少なくなったことを示している。
【００３１】
図５は図２と同じくコンテンツ表示画面を示す図である。 図２に示した状態から、ユーザが入力デバイス１６０を操作し、消去時間設定操作を行った後の状態が、図５に示す状態である。 消去時間設定操作の開始と終了は消去時間設定ボタン２３０を選択することによって行う。消去時間設定操作については、図９と図１１の説明の中で述べる。
【００３２】
コンテンツ表示０５２２中の”０３/０９/０６ ０９:３０”は、コンテンツＢ１４２が消去される時間を示している。”０２ １２:００”は、コンテンツＢが消去されるまでの残り時間が ０２日と１２時間００分であることを示している。 “○”はコンテンツＡが消去されるまでの残り時間が十分では無くなったことを示している。”ＣＦ”はコピー可能なＣｏｐｙ−ｆｒｅｅコンテンツであることを示している。
【００３３】
図６は図５と同じくコンテンツ表示画面を示す図である。 図５に示した状態から、ユーザが入力デバイス１６０を操作し、消去時間設定操作を行った後の状態が、図６に示す状態である。コンテンツ表示０６２２中の”０３/０９/１３ ２１:３０”は、コンテンツＢ１４２が消去される時間を示している。”１０ ００:００”は、コンテンツＢが消去されるまでの残り時間が１０日と００時間００分であることを示している。 “◎”はコンテンツＡが消去されるまでの残り時間が十分あることを示している。
【００３４】
本実施の形態では、コンテンツが消去されるまでの残り時間のレベルをユーザへ分かりやすく通知するために、上述のような”◎”、”○”、”△”という記号を使用する。 残り時間と記号の関係は、図１２に示した通りとする。 また、残り時間のレベルをより分かり易く通知するために、表示色と点滅の有無の組合せも使用する。例えば、コンテンツが消去されるまでの残り時間が２４時間未満になったとすると、図１２の最終行の表示の組合せが選択され、”△”という記号が赤色で点滅表示される。 この処理は情報表示プログラム１３７が行う。 情報表示プログラムの処理内容は、図１０のフローチャートの説明の中で述べる。
【００３５】
図７は管理ファイルの内容を示す図である。 管理ファイルには外部記憶装置１４０に録画されたコンテンツの情報が記録される。 実施例として、図７は外部記憶装置にコンテンツ１４１とコンテンツ１４２が録画された後の状態を示している。７１１の部分は、コンテンツＡのコンテンツ情報を示している。 “０３/０９/０１ ２０:００-２１:００”が録画時間、”０３/０９/０８ ２１:００”が消去時間、”ＣＮ”がコピー可能なＣｏｐｙ−ｆｒｅｅコンテンツであることを示している。 ７１２の部分は、コンテンツＢのコンテンツ情報を示している。 “０３/０９/０３ ０８:００-０８:３０”が録画時間、”--/--/-- --:--”は消去時間が設定されていないこと、”ＣＮ”がコピー可能なＣｏｐｙ−ｆｒｅｅコンテンツであることを示している。
【００３６】
図８は管理ファイルの内容を示す図である。 管理ファイルには外部記憶装置１４０に録画されたコンテンツの情報が記録される。実施例として、図８は図７に示した状態からユーザが消去時間設定操作を行った後の状態を示している。 ８１２の部分は、コンテンツＢ １４２のコンテンツ情報を示している。”０３/０９/１３ ２１:３０”はユーザが設定した消去時間を示している。
【００３７】
図９はメインプログラム１３２の処理内容を示す図である。 本実施例の装置が起動されると、先ずＯＳプログラムが起動され、次に本メインプログラム１１が起動されるものとする。
【００３８】
ステップＳ９１０にてまず情報表示プログラム１３６を呼び出す。 この情報表示プログラムの動作処理内容については、図１０の説明の中で述べる。次にステップＳ９２０にてイベントの発生待ちを行う。 本処理では、イベント待ちを開始して次の（１）〜（６）のイベントが発生したときに次のステップＳ９３０乃至ステップＳ９８０の動作へ移る。
【００３９】
（１）イベント待ちを開始して１分間経過したとき。
【００４０】
（２）現在時刻と管理ファイル１４３内のコンテンツの消去時間を比較した結果、消去時間に達したコンテンツが見つかったとき。
【００４１】
（３）録画予約設定プログラム１３４で設定された予約時間に達したとき。
【００４２】
（４）録画予約ボタン２４０が選択されたとき。
【００４３】
（５）再生ボタン２５０が選択されたとき。
【００４４】
（６）消去時間設定ボタン２３０が選択されたとき。
【００４５】
ステップＳ９３０では、ステップＳ９２０で上記（１）のイベントが発生していた場合はステップＳ９１０へ戻りコンテンツ情報表示動作を継続する。
【００４６】
ステップＳ９４０は、ステップＳ９２０で上記（２）のイベントが発生していた場合ステップＳ９４５へ移る。 ステップＳ９４５は消去時間に達したコンテンツを消去後、ステップＳ９１０へ戻る。ステップＳ９５０は、ステップＳ９２０で上記（３）のイベントが発生していた場合はステップＳ９５５へ移る。 ステップＳ９５５は録画プログラム０１３４をコールし、録画プログラムから復帰後、ステップＳ９１０へ戻る。ステップＳ９６０は、ステップＳ９２０で上記（４）のイベントが発生していた場合はステップＳ９６５へ移る。 ステップＳ９６５は録画予約プログラム０１３３をコールし、録画予約プログラムから復帰後、ステップＳ９１０へ戻る。ステップＳ９７０は、ステップＳ９２０で上記（５）のイベントが発生していた場合はステップＳ９７５へ移る。 ステップＳ９７５は再生プログラム０１３５をコールし、再生プログラムから復帰後、ステップＳ９１０へ戻る。ステップＳ９８０は、ステップＳ９２０で上記（６）のイベントが発生していた場合はステップＳ９８５へ移る。 ステップＳ９８５は消去時間設定プログラム０１３７をコールし、消去時間設定プログラムから復帰後、ステップＳ９１０へ戻る。
【００４７】
以上のように、図９に示したメインプログラムの動作処理により、コンテンツ表示画面の表示内容は定期的に更新される。 また、消去時間に達したコンテンツがあった場合は自動的に消去され、録画時間に達した場合はコンテンツの録画が自動的に開始される。 ユーザによって、録画予約ボタンが選択された場合は録画予約設定操作が開始され、再生ボタンが選択された場合はコンテンツの再生が開始され、消去時間設定ボタンが選択された場合は消去時間設定操作が開始される。
【００４８】
図１０は情報表示プログラム１３６の処理内容を示すフローチャートである。 情報表示プログラムは、録画されているコンテンツの情報を表示するために、メインプログラム１３２または消去時間設定プログラム１３７からコールされる。
【００４９】
ステップＳ１０１０は時計デバイス０１７０から現在の時間情報を読み出す。
【００５０】
ステップＳ１０２０は時計デバイスから読み出した時間情報をコンテンツ表示画面に表示する。ステップＳ１０３０は管理ファイル０１４３からコンテンツの情報を読み出す。
【００５１】
ステップＳ１０４０は管理ファイルから読み出したコンテンツの情報をコンテンツ表示画面に表示する。 コンテンツ情報に消去時間が設定されている場合には、コンテンツが消去されるまでの残り時間と、残り時間に対応する記号を表示する。 記号の表示条件は、図１２に示す通りとする。
【００５２】
以上のようにして、例えば図１０に示す動作処理が、９月３日２１:３０に管理ファイルが図７に示した状態で実行されると、図２に示したようなコンテンツ表示画面が出力される。
【００５３】
図１１は消去時間設定プログラム１３７の処理内容を示す図である。 消去時間設定プログラムは、ユーザがコンテンツに消去時間を設定できるようにするため、メインプログラム１３２からコールされる。
【００５４】
ステップＳ１１１０は情報表示プログラム０１３６をコールする。ステップＳ１１２０はイベントの発生待ちを行う。 本処理では、イベント待ちを開始して次の（１）〜（２）のイベントが発生したときに次のステップＳ１１３０へ移る。
【００５５】
（１）イベント待ちを開始して１分間経過したとき
（２）消去時間設定ボタン０２３０が選択されたとき
ステップＳ１１３０は、ステップＳ１１２０で上記（１）のイベントが発生していた場合はステップＳ１１１０へ戻る。ステップＳ１１４０は、ステップＳ１１２０で上記（２）のイベントが発生していた場合はステップＳ１１５０へ移り、それ以外はステップＳ１１１０へ戻る。ステップＳ１１５０は、消去時間情報をコンテンツ表示画面から読み出す。消去時間情報は、ユーザが入力デバイス０１６０を操作してコンテンツ表示画面上に入力したものである。
【００５６】
ステップＳ１１６０は、ステップＳ１１５０で読み出した消去時間情報を管理ファイル０１３４へ記録する。
【００５７】
以上説明したように、本実施形態によればユーザが消去時間設定操作した結果、図１１の処理が図２に示した状態から始まり図６に示した状態で終了すると、管理ファイルの内容は図７から図８に示した内容に更新される。また、ユーザがコンテンツに任意の消去時間を設定することができ、その消去時間に達したときにはコンテンツが自動消去されるので、ユーザがコンテンツを消去しなくても、自動的に外部記録装置の記憶容量を増やすことができる。
【００５８】
また、コンテンツが消去時間されるまでの残り時間と、残り時間に対応した記号が表示されるので、ユーザに分かり易くコンテンツの視聴可能な残り時間を通知することができる。
【図面の簡単な説明】
【００５９】
【図１】本発明の一実施の形態によるデジタルビデオレコーダのシステム構成図である。
【図２】同実施の形態によるコンテンツ情報の表示画面図である。
【図３】同実施の形態によるコンテンツ情報の表示画面図である。
【図４】同実施の形態によるコンテンツ情報の表示画面図である。
【図５】同実施の形態によるコンテンツ情報の表示画面図である。
【図６】同実施の形態によるコンテンツ情報の表示画面図である。
【図７】同実施の形態による管理ファイルの内容を示す図である。
【図８】同実施の形態による管理ファイルの内容を示す図である。
【図９】同実施の形態によるメインプログラムの動作処理を示すフローチャートである。
【図１０】同実施の形態による情報表示プログラムの動作処理を示すフローチャートである。
【図１１】同実施の形態による消去時間設定プログラムの動作処理を示すフローチャートである。
【図１２】表示画面に表示する表示種別の組み合わせを表す図である。
【符号の説明】
【００６０】
１１０…ＣＰＵ、１２０…データバス、１３０…主記憶メモリ、１４０…外部記憶装置、１５０…出力デバイス、１６０…入力デバイス、１７０…時計デバイス、１８０…ＩＥＥＥ１３９４Ｉ／Ｆコントローラ。
【図１】
2005191613.tif 000003
【図２】
2005191613.tif 000004
【図３】
2005191613.tif 000005
【図４】
2005191613.tif 000006
【図５】
2005191613.tif 000007
【図６】
2005191613.tif 000008
【図７】
2005191613.tif 000009
【図８】
2005191613.tif 000010
【図９】
2005191613.tif 000011
【図１０】
2005191613.tif 000012
【図１１】
2005191613.tif 000013
【図１２】
2005191613.tif 000014